(57)【特許請求の範囲】
【請求項１】
表示手段と、
内蔵の記録媒体と、
外部記憶装置への第１の画像データの記憶と、前記第１の画像データに対応する第２の画像データの前記内蔵の記録媒体への記録とを制御する記録処理部と、
画像の編集処理を指示する手段であって、前記外部記憶装置に記憶している前記第１の画像データの編集ができない状態において、前記内蔵の記録媒体に記録されている前記第２の画像データを前記表示手段に表示しながら編集処理を指示可能とする指示手段と、
前記指示手段で指示した編集処理の内容を記憶する記憶手段と、
前記外部記憶装置に記憶している前記第１の画像データを編集できる状態になった後で、前記記憶手段に記憶する内容に従って編集処理を行う編集手段とを備えたことを特徴とする画像処理装置。
【請求項２】
前記編集処理には保護、削除、分割の少なくともいずれか一つを含むことを特徴とする請求項１に記載の画像処理装置。
【請求項３】
前記編集処理にはプレイリストの作成を含むことを特徴とする請求項１または２に記載の画像処理装置。
【請求項４】
さらに、前記外部記憶装置に記憶している前記第１の画像データを編集できる状態になった後で、前記編集手段が前記記憶手段に記憶する内容に従って編集処理を行う前に、編集を行う旨の通知を行う通知手段を有することを特徴とする請求項１ないし３のいずれか１項に記載の画像処理装置。
【請求項５】
前記表示手段は、前記内蔵の記録媒体に記録されている前記第２の画像データのうち、前記記憶手段に記憶している編集処理の対象となっている画像データを、編集処理の対象となっていない画像データとは異なる表示形式で表示することを特徴とする請求項１ないし４のいずれか１項に記載の画像処理装置。
【請求項６】
表示手段と、
内蔵の記録媒体と、
外部記憶装置への第１の画像データの記憶と、前記第１の画像データに対応する第２の画像データの前記内蔵の記録媒体への記録とを制御する記録処理部と備えた画像処理装置が実行する画像処理方法であって、
画像の編集処理を指示する手段であって、前記外部記憶装置に記憶している前記第１の画像データの編集ができない状態において、前記内蔵の記録媒体に記録されている前記第２の画像データを前記表示手段に表示しながら編集処理を指示可能とする指示手段で指示した編集処理の内容を記憶手段に記憶するステップと、
前記外部記憶装置に記憶している前記第１の画像データを編集できる状態になった後で、前記記憶手段に記憶する内容に従って編集処理を行うステップとを有することを特徴とする画像処理方法。
【発明の詳細な説明】
【技術分野】
【０００１】
本発明は、内蔵の記録媒体及び外部記憶装置に画像を記録可能な画像処理装置及び方法に関し、特に複数の記録媒体に記録されている画像の管理を容易にする技術に関する。
【背景技術】
【０００２】
複数の記録媒体、例えば外付けメモリと内蔵メモリを有する撮像装置が普及している中で、これらメモリに記録されている画像の管理手法が欠かせない技術となってきている。画像の管理手法として、撮像画像を大メモリ（外付けメモリ）に、圧縮画像を小メモリ（内蔵メモリ）に記録しておく手法がある（例えば特許文献１を参照）。これにより、撮像画像を撮像装置から移動させた場合でも、撮像装置において既に撮像された画像の確認をすることが可能となる。
【先行技術文献】
【特許文献】
【０００３】
【特許文献１】特開２００６−３２４７０８号公報
【発明の概要】
【発明が解決しようとする課題】
【０００４】
しかしながら、特許文献１にあるような外付けメモリと内蔵メモリを有する撮像装置における画像の管理手法を用いると、１つの画像に対して２つの記録画像（撮像画像、圧縮画像）ができてしまう。
【０００５】
この場合に、２つの記録画像それぞれに対して編集作業を行うのはユーザにとって非常に負荷のかかるものである。
【０００６】
また、外付けメモリに記録されている撮像画像を探す際に、探そうとしている画像が記録されている外付けメモリを特定するためには、外付けメモリを一旦撮像装置に装着することが必要であり、その操作はユーザにとって非常に負荷のかかるものである。
【０００７】
本発明は、上記のような点に鑑みてなされたものであり、内蔵の記録媒体及び外部記憶装置に画像を記録可能な画像処理装置において、記録画像を管理する上でユーザの負荷を軽減することを目的とする。
【課題を解決するための手段】
【０００８】
本発明の画像処理装置は、表示手段と、内蔵の記録媒体と、外部記憶装置への第１の画像データの記憶と、前記第１の画像データに対応する第２の画像データの前記内蔵の記録媒体への記録とを制御する記録処理部と、画像の編集処理を指示する手段であって、前記外部記憶装置に記憶している前記第１の画像データの編集ができない状態において、前記内蔵の記録媒体に記録されている前記第２の画像データを前記表示手段に表示しながら編集処理を指示可能とする指示手段と、前記指示手段で指示した編集処理の内容を記憶する記憶手段と、前記外部記憶装置に記憶している前記第１の画像データを編集できる状態になった後で、前記記憶手段に記憶する内容に従って編集処理を行う編集手段とを備えたことを特徴とする。
【発明の効果】
【０００９】
本発明によれば、内蔵の記録媒体及び外部記憶装置に画像を記録可能な画像処理装置において、記録画像を管理する上でユーザの負荷を軽減することができる。
【図面の簡単な説明】
【００１０】
【図１】第１の実施形態のデジタルビデオカメラの概略構成を示すブロック図である。
【図２】第１の実施形態のデジタルビデオカメラにおける編集（「保護」、「削除」、「分割」）及びその予約の処理を示すフローチャートである。
【図３】第１の実施形態のデジタルビデオカメラにおける編集（「保護」、「削除」、「分割」）及びその予約の際の画面遷移図である。
【図４】第１の実施形態のデジタルビデオカメラにおける編集予約（「保護」、「削除」、「分割」予約）された撮像画像に対して編集を実行する処理を示すフローチャートである。
【図５】第１の実施形態のデジタルビデオカメラにおける編集（「プレイリストに追加」）及びその予約の処理を示すフローチャートである。
【図６】第１の実施形態のデジタルビデオカメラにおける編集（「プレイリストに追加」）及びその予約の際の画面遷移図である。
【図７】第１の実施形態のデジタルビデオカメラにおける編集予約（「プレイリストに追加」予約）された撮像画像に対して「プレイリストに追加」を実行する処理を示すフローチャートである。
【図８】第２の実施形態のデジタルビデオカメラの構成を示すブロック図である。
【図９】第２の実施形態のデジタルビデオカメラにおいてインデックス表示されている圧縮画像から任意の画像を選択した際の処理を示すフローチャートである。
【図１０】第２の実施形態のデジタルビデオカメラにおけるインデックス表示画面を生成する処理を示すフローチャートである。
【図１１】第２の実施形態のデジタルビデオカメラにおいて対象撮像画像が内蔵メモリに記録されている圧縮画像を選択した際の画面遷移図である。
【図１２】第２の実施形態のデジタルビデオカメラにおいて対象撮像画像が現在装着されている外部メモリに記録されている圧縮画像を選択した際の画面遷移図である。
【図１３】第２の実施形態のデジタルビデオカメラにおいて対象撮像画像が現在装着されていない外部メモリに記録されている圧縮画像を選択した際の画面遷移図である。
【発明を実施するための形態】
【００１１】
以下、添付図面を参照して、本発明の好適な実施形態について説明する。以下に述べる実施形態では、本発明をデジタルビデオカメラに適用した例について説明する。
【００１２】
（第１の実施形態）
図１は、第１の実施形態のデジタルビデオカメラの概略構成を示すブロック図である。１１は被写体を撮像する撮像部である。１２は圧縮処理部であり、撮像部１１により撮像した画像を圧縮して撮像画像を生成し、撮像部１１により撮像した画像を撮像画像よりも高い圧縮率で圧縮して圧縮画像を生成する。
【００１３】
１３は記録処理部であり、撮像画像や圧縮画像を外付けメモリ１４や内蔵メモリ１５に記録する記録処理を行う。１４は着脱可能な外部記録媒体である外部メモリ（外付けメモリ）である。１５は内蔵の記録媒体である内蔵メモリである。本実施形態では、撮像画像は、外部メモリ１４と内蔵メモリ１５の任意の一方に記録することができる。そして、圧縮画像は、撮像画像が外部メモリ１４に記録された場合は外部メモリ１４と内蔵メモリ１５の双方に、撮像画像が内蔵メモリ１５に記録された場合は内蔵メモリ１５のみに記録するものとする。
【００１４】
１６は編集処理部であり、外部メモリ１４や内蔵メモリ１５に記録されている撮像画像や圧縮画像を編集する。本実施形態では、編集として「保護」、「削除」、「分割」、「プレイリストに追加」が設定されている。１７は入力部であり、編集したい画像を選択したり、実行したい編集内容を選択したりする操作部が含まれる。
【００１５】
１８はデジタルビデオカメラ全体の制御を司る制御部である。制御部１８は、不図示の表示部に、圧縮画像のインデックス表示やプレイリストのインデックス表示等を行う表示処理手段として機能する。また、内蔵メモリ１５に記録されている圧縮画像に対して、未装着の外部メモリ１４に記録されている該圧縮画像に対応する撮像画像の編集予約を可能とする（編集予約を受ける）編集予約手段として機能する。
【００１６】
図２は、第１の実施形態のデジタルビデオカメラにおける編集（「保護」、「削除」、「分割」）及びその予約の処理を示すフローチャートである。まずステップＳ１０１で、デジタルビデオカメラは、内蔵メモリ１５に記録されている圧縮画像のインデックス表示を行う。次のステップＳ１０２で、ユーザは、インデックス表示されている圧縮画像の一覧の中から編集したい画像の選択を行う。次のステップＳ１０３で、ユーザは、選択した画像に対して実行したい編集内容の選択を行う。
【００１７】
次のステップＳ１０４で、デジタルビデオカメラは、選択された圧縮画像に対応する撮像画像（以下、「対象撮像画像」と称する）が内蔵メモリ１５又は現在装着されている外部メモリ１４に記録されており、編集可能な状態にあるか否かを判断する。
【００１８】
ステップＳ１０４において対象撮像画像が内蔵メモリ１５及び現在装着されている外部メモリ１４に記録されていない、すなわち現在装着されていない外部メモリ１４に記録されており、編集不可能な状態にあると判断された場合、ステップＳ１０５に進む。ステップＳ１０５で、デジタルビデオカメラは、内蔵メモリ１５に記録されている圧縮画像に対して編集予約を行う。例えば、内蔵メモリ１５に記録されている圧縮画像に関連付けて編集内容を記録しておく。
【００１９】
一方、ステップＳ１０４において対象撮像画像が内蔵メモリ１５又は現在装着されている外部メモリ１４に記録されており、編集可能な状態にあると判断された場合、ステップＳ１０６に進む。ステップＳ１０６で、デジタルビデオカメラは、内蔵メモリ１５又は現在装着されている外部メモリ１４に記録されている対象撮像画像に対して編集を実行する。
【００２０】
以上の処理により、対象撮像画像が現在装着されていない外部メモリ１４に記録されており、編集不可能な状態であっても、圧縮画像に対して編集予約を行うことが可能となる。このとき、圧縮画像のインデックス表示において、編集予約された圧縮画像を編集予約されていない圧縮画像と異なる表示形式で表示することにより、編集予約されているということをユーザに視覚的に知らせることができる。
【００２１】
また、圧縮画像に対して行った編集予約を解除可能とすることで、ユーザにとって利便性が向上することは言うまでもない。
【００２２】
図３は、第１の実施形態のデジタルビデオカメラにおける編集（「保護」、「削除」、「分割」）及びその予約の際の画面遷移図である。図３（ａ）は、インデックス表示されている圧縮画像の一覧の中からユーザが編集したい画像の選択を行い、実行したい編集内容の選択を行う編集内容選択画面である。この編集内容選択画面では、フォーカス３０１を移動させることにより編集したい画像の選択を行い、フォーカス３０２を移動させることにより実行したい編集内容の選択を行うようになっている。図３（ａ）の編集内容選択画面において選択された編集内容に基づいて、図３（ｂ）の編集実行確認画面に遷移する。図３（ａ）、（ｂ）では、編集内容選択画面において「削除」が選択され、編集実行確認画面において「削除」を実行するか否かを確認している（図２のステップＳ１０１〜Ｓ１０３に対応）。
【００２３】
図３（ｂ）の編集実行確認画面においてＹｅｓが選択されると、デジタルビデオカメラは、対象撮像画像が内蔵メモリ１５又は現在装着されている外部メモリ１４に記録されており、編集可能な状態にあるか否かを判断する（図２のステップＳ１０４に対応）。
【００２４】
対象撮像画像が内蔵メモリ１５又は現在装着されている外部メモリ１４に記録されており、編集可能な状態にある場合、デジタルビデオカメラは、内蔵メモリ１５又は現在装着されている外部メモリ１４に記録されている対象撮像画像に対して編集を実行する（図２のステップＳ１０６に対応）。この場合、図３（ｃ）に示すように、インデックス表示において圧縮画像を削除し、削除を実行したことをユーザに通知する。
【００２５】
一方、対象撮像画像が現在装着されていない外部メモリに記録されており、編集不可能な状態にある場合、デジタルビデオカメラは、内蔵メモリ１５に記録されている圧縮画像に対して編集を予約する（図２のステップＳ１０５に対応）。この場合、図３（ｄ）に示すように、インデックス表示において圧縮画像に対して編集予約したことが分かる表示形式とする。例えば「削除」を予約した圧縮画像に「×」マークを重畳表示する。
【００２６】
図４は、第１の実施形態のデジタルビデオカメラにおける編集予約（「保護」、「削除」、「分割」予約）された撮像画像に対して編集を実行する処理を示すフローチャートである。まずステップＳ２０１で、ユーザは外部メモリ１４の装着を行う。次のステップＳ２０２で、デジタルビデオカメラは、内蔵メモリ１５に記録されている圧縮画像と、装着された外部メモリ１４に記録されている圧縮画像とのデータ照合を行う。次のステップＳ２０３で、デジタルビデオカメラは、ステップＳ２０２におけるデータ照合の結果、内蔵メモリ１５に記録されている圧縮画像に対して編集予約されているか否かを判断する。
【００２７】
ステップＳ２０３において内蔵メモリ１５に記録されている圧縮画像に対して編集予約されていると判断された場合、ステップＳ２０４に進む。ステップＳ２０４で、デジタルビデオカメラは、内蔵メモリ１５に記録されている圧縮画像に編集予約されている編集内容を、外部メモリ１４に記録されている対象撮像画像に反映させる。この場合に、自動的に編集を実行する前に、ユーザに対して「編集を実施しても良いですか？」といったような通知を行うようにしてもよい。
【００２８】
以上の処理により、内蔵メモリ１５に記録されている圧縮画像に対して編集予約されている編集内容を、対象撮像画像が記録されている外部メモリ１４が装着された際に自動的に反映させることができる。
【００２９】
図５は、第１の実施形態のデジタルビデオカメラにおける編集（「プレイリストに追加」）及びその予約の処理を示すフローチャートである。まずステップＳ３０１で、デジタルビデオカメラは、内蔵メモリ１５に記録されている圧縮画像のインデックス表示を行う。次のステップＳ３０２で、ユーザは、インデックス表示されている画像の一覧の中から編集したい画像の選択を行う。次のステップＳ３０３で、ユーザは、選択した画像に対して「プレイリストに追加」の選択を行う。
【００３０】
次のステップＳ３０４で、デジタルビデオカメラは、対象撮像画像が内蔵メモリ１５に記録されているか否かを判断する。
【００３１】
ステップＳ３０４において対象撮像画像が内蔵メモリ１５に記録されていると判断された場合、ステップＳ３０８に進む。ステップＳ３０８で、デジタルビデオカメラは、内蔵メモリ１５に記録されている対象撮像画像に対して「プレイリストに追加」処理を実行し、新規プレイリストを内蔵メモリ１５に作成する。
【００３２】
一方、ステップＳ３０４において対象撮像画像が内蔵メモリ１５に記録されていないと判断された場合、ステップＳ３０５に進む。ステップＳ３０５で、デジタルビデオカメラは、対象撮像画像が現在装着されている外部メモリ１４に記録されているか否かを判断する。
【００３３】
ステップＳ３０５において対象撮像画像が現在装着されている外部メモリ１４に記録されていると判断された場合、ステップＳ３０６に進む。ステップＳ３０６で、デジタルビデオカメラは、現在装着されている外部メモリ１４に記録されている対象撮像画像を内蔵メモリ１５に複写する。この場合に、複写を実行する前にユーザに通知表示を行うことで、ユーザに視覚的に知らせることができる。そして、ステップＳ３０８で、デジタルビデオカメラは、内蔵メモリ１５に複写された対象撮像画像に対して「プレイリストに追加」処理を実行し、新規プレイリストを内蔵メモリ１５に作成する。
【００３４】
一方、ステップＳ３０５において対象撮像画像が現在装着されている外部メモリ１４に記録されていない、すなわち現在装着されていない外部メモリ１４に記録されており、プレイリストに追加不可能な状態にあると判断された場合、ステップＳ３０７に進む。ステップＳ３０７で、デジタルビデオカメラは、内蔵メモリ１５に記録されている圧縮画像に対して「プレイリストに追加」予約を行う。このとき、圧縮画像のインデックス表示において、「プレイリストに追加」予約された圧縮画像を「プレイリストに追加」予約されていない圧縮画像と異なる表示形式で表示することにより、予約されているということをユーザに視覚的に知らせることができる。そして、ステップＳ３０８で、デジタルビデオカメラは、ユーザにより選択された圧縮画像に対して「プレイリストに追加」処理を実行し、新規プレイリストを内蔵メモリ１５に作成する。これにより、プレイリストのインデックス画面には追加された圧縮画像が表示されるが、撮像画像は現在装着されていない外部メモリ１４に記録されているため、再生は実行できない。
【００３５】
図６は、第１の実施形態のデジタルビデオカメラにおける編集（「プレイリストに追加」）及びその予約の際の画面遷移図である。図６（ａ）は編集内容選択画面、図６（ｂ）は編集実行確認画面であり、図３（ａ）、図３（ｂ）と同様である。図６（ａ）、（ｂ）では、編集内容選択画面において「プレイリストの作成」が選択され、編集実行確認画面において「プレイリストの作成」を実行するか否かを確認している（図５のステップＳ３０１〜Ｓ３０３に対応）。
【００３６】
図６（ｂ）の編集実行確認画面においてＹｅｓが選択されると、デジタルビデオカメラは、対象撮像画像が内蔵メモリ１５に記録されているか否かを判断する（図５のステップＳ３０４に対応）。
【００３７】
対象撮像画像が内蔵メモリ１５に記録されている場合、デジタルビデオカメラは、内蔵メモリ１５に記録されている対象撮像画像に対して「プレイリストに追加」処理を実行し、新規プレイリストを内蔵メモリ１５に作成する（図５のステップＳ３０８に対応）。この場合、図６（ｃ）に示すように、プレイリストのインデックス画面には、追加された対象撮像画像が表示される。
【００３８】
一方、対象撮像画像が現在装着されている外部メモリ１４に記録されている場合、図６（ｄ）−（１）の複写実行確認画面に遷移する。そして、図６（ｄ）−（１）の複写実行確認画面においてＹｅｓが選択されると、デジタルビデオカメラは、現在装着されている外部メモリ１４に記録されている対象撮像画像を内蔵メモリ１５に複写する（図５のステップＳ３０６に対応）。複写後、対象撮像画像に対して「プレイリストに追加」処理を実行し、新規プレイリストを内蔵メモリ１５に作成する（図５のステップＳ３０８に対応）。この場合、図６（ｄ）−（２）に示すように、プレイリストのインデックス画面には、追加された対象撮像画像が表示される。
【００３９】
一方、対象撮像画像が現在装着されていない外部メモリ１４に記録されており、プレイリストに追加不可能な状態にある場合、デジタルビデオカメラは、内蔵メモリ１５に記録されている圧縮画像に対して「プレイリストに追加」の予約処理を行う（図５のステップＳ３０７に対応）。この場合、図６（ｅ）に示すように、プレイリストのインデックス画面には、追加された圧縮画像が表示される。このプレイリストのインデックス画面では、圧縮画像であることが分かるような表示形式で表示する。すなわち、対象撮像画像は現在装着されていない外部メモリ１４に記録されており、再生・複写が実行できないことをユーザに知らせるように表示する。それでもなお、ユーザにより再生・複写指示があった場合、警告を行うようにしてもよい。
【００４０】
図７は、第１の実施形態のデジタルビデオカメラにおける編集予約（「プレイリストに追加」予約）された撮像画像に対して「プレイリストに追加」を実行する処理を示すフローチャートである。まずステップＳ４０１で、ユーザは外部メモリ１４の装着を行う。次のステップＳ４０２で、デジタルビデオカメラは、内蔵メモリ１５に記録されている圧縮画像と、装着された外部メモリ１４に記録されている圧縮画像とのデータ照合を行う。次のステップＳ４０３で、デジタルビデオカメラは、ステップＳ４０２におけるデータ照合の結果、内蔵メモリ１５に記録されている圧縮画像に対して「プレイリストに追加」予約されているか否かを判断する。
【００４１】
ステップＳ４０３において内蔵メモリ１５に記録されている圧縮画像に対して「プレイリストに追加」予約されていると判断された場合、ステップＳ４０４に進む。ステップＳ４０４で、デジタルビデオカメラは、現在装着されている外部メモリ１４に記録されている対象撮像画像を内蔵メモリ１５に複写する。この場合に、複写を実行する前にユーザに通知表示を行うことで、ユーザに視覚的に知らせることができる。次のステップＳ４０５で、デジタルビデオカメラは、ステップＳ４０４で内蔵メモリ１５に複写した対象撮像画像に対して「プレイリストに追加」処理を実行し、新規プレイリストを内蔵メモリ１５に作成する。
【００４２】
以上の処理により、内蔵メモリ１５に記録されている圧縮画像に対して予約した「プレイリストに追加」を、対象撮像画像が記録されている外部メモリ１４が装着された際に自動的に反映させることができる。
【００４３】
以上述べた第１の実施形態によれば、内蔵メモリ１５に記録されている圧縮画像に対して編集予約を行い、対象撮像画像が記録されている外部メモリが装着されたときに編集を実行することが可能となる。これにより、ユーザが２つの記録画像それぞれに対して編集作業を行う負荷を軽減することができる。
【００４４】
（第２の実施形態）
図８は、第２の実施形態のデジタルビデオカメラの概略構成を示すブロック図である。なお、第１の実施形態のデジタルビデオカメラと同様の構成要素には同一の符号を付して説明する。１１は被写体を撮像する撮像部である。１２は圧縮処理部であり、撮像部１１により撮像した画像を圧縮して撮像画像を生成し、また、撮像部１１により撮像した画像を撮像画像よりも高い圧縮率で圧縮して圧縮画像を生成する。
【００４５】
１３は記録処理部であり、撮像画像や圧縮画像を外部メモリ１４や内蔵メモリ１５に記録する記録処理を行う。１４は着脱可能な外部記録媒体である外部メモリである。１５は内蔵の記録媒体である内蔵メモリである。本実施形態では、撮像画像は、外部メモリ１４と内蔵メモリ１５の任意の一方に記録することができる。そして、圧縮画像は、撮像画像が外部メモリ１４に記録された場合は外部メモリ１４と内蔵メモリ１５の双方に、撮像画像が内蔵メモリ１５に記録された場合は内蔵メモリ１５のみに記録するものとする。
【００４６】
１８はデジタルビデオカメラ全体の制御を司る制御部である。制御部１８は、不図示の表示部に、圧縮画像のインデックス表示等を行う表示処理手段として機能する。
【００４７】
１９は個体情報認識処理部であり、外部メモリ１４それぞれが保有する個体情報を認識する。本実施形態では、個体情報として製造メーカー、メモリ容量（記録容量）、シリアルナンバーを用いるが、それに限られるものではなく、ユーザが外部メモリ１４を特定できるような情報であればよい。
【００４８】
図９は、第２の実施形態のデジタルビデオカメラにおいてインデックス表示されている圧縮画像から任意の画像を選択した際の処理を示すフローチャートである。まずステップＳ５０１で、デジタルビデオカメラは、内蔵メモリ１５に記録されている圧縮画像のインデックス表示を行う。次のステップＳ５０２で、ユーザは、インデックス表示されている圧縮画像の一覧の中から所望の画像の選択を行う。
【００４９】
次のステップＳ５０３で、デジタルビデオカメラは、選択された圧縮画像に対応する撮像画像（以下、「対象撮像画像」と称する）が内蔵メモリ１５に記録されているか否かを判断する。
【００５０】
ステップＳ５０３において対象撮像画像が内蔵メモリ１５に記録されていると判断された場合、ステップＳ５０４に進む。ステップＳ５０４で、デジタルビデオカメラは、撮像画像が記録されている内蔵メモリ１５の個体情報を表示する。
【００５１】
一方、ステップＳ５０３において対象撮像画像が現在装着されている外部メモリ１４又は現在装着されていない外部メモリ１４に記録されていると判断された場合、ステップＳ５０５に進む。ステップＳ５０５で、デジタルビデオカメラは、対象撮像画像が記録されている外部メモリ１４の個体情報を表示する。この場合に、現在装着されている外部メモリ１４に対象撮像画像が記録されていると判断された場合と、現在装着されていない外部メモリ１４に対象撮像画像が記録されていると判断された場合とで異なる表示形式をとることにより、ユーザに視覚的に知らせることができる。
【００５２】
以上の処理により、対象撮像画像が記録されているメモリの情報をユーザに示すことが可能となる。
【００５３】
図１０は、第２の実施形態のデジタルビデオカメラにおけるインデックス表示画面を生成する処理を示すフローチャートである。まずステップＳ６０１で、デジタルビデオカメラは、内蔵メモリ１５に記録されているｎ番目の圧縮画像をインデックス表示するために画像読み込み処理を行う。
【００５４】
次のステップＳ６０２で、ステップＳ６０１において読み込まれた圧縮画像の対象撮像画像が現在装着されていない外部メモリ１４に記録されているか否かを判断する。ステップＳ６０２において対象撮像画像が内蔵メモリ１５又は現在装着されている外部メモリ１４に記録されていると判断された場合、ステップＳ６０４に進む。一方、ステップＳ６０２において対象撮像画像が現在装着されていない外部メモリ１４に記録されていると判断された場合、ステップＳ６０３に進み、読み込まれた圧縮画像を再生不可能であることが分かる表示形式とした後、ステップＳ６０４に進む。
【００５５】
次のステップＳ６０４で、デジタルビデオカメラは、現在処理した圧縮画像がインデックス表示における最終画像であるか否かを判断する。ステップＳ６０４において最終画像でないと判断された場合、ステップＳ６０５に進み、画像読み込みのための値ｎをインクリメントした後、最初のステップＳ６０１に戻る。一方、ステップＳ６０４において最終画像であると判断された場合、図９のステップＳ５０１に進み、内蔵メモリ１５に記録されている圧縮画像のインデックス表示を行う。
【００５６】
図１１は、対象撮像画像が内蔵メモリ１５に記録されている圧縮画像を選択した際の画面遷移図である。図１１（ａ）は、圧縮画像のインデックス表示画面であり、フォーカス１１０１を移動させることにより画像の選択を行うことができる。図１１（ａ）のインデックス画面において画像が選択され、再生が指示されると、図１１（ｃ）の再生画面に遷移して、選択画像の再生が実行される。また、図１１（ａ）のインデックス画面において画像が選択され、メニュー表示が指示されると、図１１（ｂ）のメニュー画面に遷移する。図１１（ｂ）のメニュー画面において情報表示が選択されると、図１１（ｄ）のメモリ情報表示画面に遷移する。図１１（ｄ）のメモリ情報表示画面では、対象撮像画像が内蔵メモリ１５に記録されていることが表示される。
【００５７】
図１２は、対象撮像画像が現在装着されている外部メモリ１４に記録されている圧縮画像を選択した際の画面遷移図である。図１２（ａ）は、図１１（ａ）と同じく圧縮画像のインデックス表示画面であり、フォーカス１１０１を移動させることにより画像の選択を行うことができる。図１２（ａ）のインデックス画面において画像が選択され、再生が指示されると、図１２（ｃ）の再生画面に遷移して、選択画像の再生が実行される。また、図１２（ａ）のインデックス画面において画像が選択され、メニュー表示が指示されると、図１２（ｂ）のメニュー画面に遷移する。図１２（ｂ）のメニュー画面において情報表示が選択されると、図１２（ｄ）のメモリ情報表示画面に遷移する。図１２（ｄ）のメモリ情報表示画面では、対象撮像画像が記録されている外部メモリ１４の個体情報が表示される。
【００５８】
図１３は、対象撮像画像が現在装着されていない外部メモリ１４に記録されている圧縮画像を選択した際の画面遷移図である。図１３（ａ）は、図１１（ａ）、図１２（ａ）と同じく圧縮画像のインデックス表示画面であり、フォーカス１１０１を移動させることにより画像の選択を行うことができる。図１３（ａ）のインデックス画面において画像が選択され、再生が指示されると、この場合は、対象撮像画像が現在装着されていない外部メモリ１４に記録されており、再生不可能となっているので、再生不可能である表示を行うとともに、図１３（ｃ）のメモリ情報表示画面に遷移する。図１３（ｃ）のメモリ情報表示画面では、対象撮像画像が記録されている外部メモリ１４の個体情報が表示される。また、図１３（ａ）のインデックス画面において画像が選択され、メニュー表示が指示されると、図１３（ｂ）のメニュー画面に遷移する。図１３（ｂ）のメニュー画面において情報表示が選択されると、図１３（ｃ）のメモリ情報表示画面に遷移する。図１３（ｄ）のメモリ情報表示画面では、対象撮像画像が記録されている外部メモリ１４の個体情報が表示される。
【００５９】
以上述べた第２の実施形態によれば、内蔵メモリ１５に記録されている圧縮画像が選択された場合に、対象撮像画像が記録されているメモリの固体情報をユーザに通知することが可能となる。これにより、対象撮像画像が記録されている外部メモリ１４を探して特定するために、外部メモリ１４をいちいちデジタルビデオカメラに装着するという作業が不要となり、負荷を軽減することが可能となる。
【００６０】
なお、第２の実施形態において、インデックス画面において画像が選択されたときに、その対象撮像画像が記録されているメモリに記録されている画像の一覧表示を行うモードに切り替え可能とするようにしてもよい。また、インデックス画面において画像が選択されたときに、その対象撮像画像が記録されているメモリに記録されている画像毎にジャンプするモードに切り替え可能とするようにしてもよい。
【００６１】
以上、本発明を種々の実施形態と共に説明したが、本発明はこれらの実施形態にのみ限定されるものではなく、本発明の範囲内で変更等が可能である。例えば、圧縮画像のインデックス表示において、予め、対象撮像画像が内蔵メモリ１５又は現在装着されている外部メモリ１４に記録されているものと、現在未装着の外部メモリ１４に記録されているものとで異なる表示形式をとるようにしてもよい。
【００６２】
また、第１、２の実施形態において表示形式について述べているが、例えば表示サイズ、ブライト、コントラスト等を異ならせたり、マーカー表示やアイコン表示を行ったりすることが挙げられる。
【００６３】
本発明の目的は、上述した実施形態の機能を実現するソフトウェアのプログラムコードを記録した記憶媒体を、システム或いは装置に供給することによっても達成される。この場合、そのシステム或いは装置のコンピュータ（又はＣＰＵやＭＰＵ）が記憶媒体に格納されたプログラムコードを読み出し実行する。
【００６４】
この場合、記憶媒体から読み出されたプログラムコード自体が上述した実施形態の機能を実現することになり、プログラムコード自体及びそのプログラムコードを記憶した記憶媒体は本発明を構成することになる。
【００６５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６６】
また、コンピュータが読み出したプログラムコードを実行することにより、上述した実施形態の機能が実現されるだけに限らない。例えば、そのプログラムコードの指示に基づき、コンピュータ上で稼動しているＯＳ（基本システム或いはオペレーティングシステム）等が実際の処理の一部又は全部を行い、その処理によって上述した実施形態の機能が実現されてもよい。
【００６７】
さらに、記憶媒体から読み出されたプログラムコードが、コンピュータに挿入された機能拡張ボードやコンピュータに接続された機能拡張ユニットに備わるメモリに書き込まれる形態でもよい。この場合メモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される。
【符号の説明】
【００６８】
１１：撮像部
１２：圧縮処理部
１３：記録処理部
１４：外部メモリ
１５：内蔵メモリ
１６：編集処理部
１７：入力部
１８：制御部
１９：個体情報認識処理部
【図１】
0005398882.tif 000002
【図２】
0005398882.tif 000003
【図３】
0005398882.tif 000004
【図４】
0005398882.tif 000005
【図５】
0005398882.tif 000006
【図６】
0005398882.tif 000007
【図７】
0005398882.tif 000008
【図８】
0005398882.tif 000009
【図９】
0005398882.tif 000010
【図１０】
0005398882.tif 000011
【図１１】
0005398882.tif 000012
【図１２】
0005398882.tif 000013
【図１３】
0005398882.tif 000014